(57)【要約】【課題】  ゴミの回収作業時には開口部を開いた状態で自立したゴミ袋にすることができ、一方、ゴミを収納していないときはコンパクトにできるゴミ収納体および袋体にてゴミ収納体を形成可能な袋体支持板を提供する。【解決手段】  ゴミを収納する袋体(20)の開口部(21)を開いた状態で自立できるゴミ収納体である。一辺に開口部(21)を有する袋体(20)と、  前記袋体(20)の開口部(21)に対して弾性変形によって湾曲させて一部または全部を挿入する大きさをなす袋体支持板(30)と、を備える。【選択図】  図１
2009298585.tif 000002
【特許請求の範囲】
【請求項１】
一辺に開口部を有する袋体と、
前記袋体の開口部に対して弾性変形によって湾曲させて一部または全部を挿入可能な大きさをなす袋体支持板と、を備えたゴミ収納体。
【請求項２】
前記袋体支持板は、略四角形をなし、
その略四角形のうちで湾曲される側の二辺の長さ寸法は、袋体の開口部における全周長さの２／３より長く、かつ開口部の全周の長さより短く構成した請求項１記載のゴミ収納体。
【請求項３】
前記袋体支持板における略四角形のうちで湾曲されない側の二辺の長さ寸法は、袋体の深さより大きく構成した請求項１または請求項２のいずれかに記載のゴミ収納体。
【請求項４】
前記袋体支持板における略四角形の一辺の側縁付近には、人の指を挿入可能な取っ手用孔部を設けた請求項１から請求項３のいずれかに記載のゴミ収納体。
【請求項５】
前記袋体支持板における前記袋体の開口部に湾曲させて挿入したときに上部側に位置する二つの隅部には、他の袋体支持板と互いに連結および離脱可能な留め具を設けた請求項１から請求項４のいずれかに記載のゴミ収納体。
【請求項６】
前記袋体支持板は、複数の分割型袋体支持板を連結することで構成し、
その分割型袋体支持板は、各々互いに連結することで前記の袋体支持板を構成した請求項１から請求項４のいずれかに記載のゴミ収納体。
【請求項７】
前記袋体支持板は、複数の分割型袋体支持板を連結することで構成し、
その分割型袋体支持板は、各々互いに連結部の長手方向にスライドして拡大および縮小自在である連結部材を設けた請求項１から請求項５のいずれかに記載のゴミ収納体。
【請求項８】
前記袋体支持板は、識別カードを挿入可能なポケット部を設け、そのポケット部は、前記袋体に湾曲させて挿入した場合に、上部の内側に位置する部位において前記識別カードが固定可能であるように形成した請求項１から請求項７のいずれかに記載のゴミ収納体。
【請求項９】
前記袋体支持板には、袋体支持板を吊り下げるための収納用フックを挿入可能なフック用孔部を設けていることを特徴とする請求項１から請求項８のいずれかに記載のゴミ収納体。
【請求項１０】
前記袋体支持板は、その長さ方向のほぼ中央の位置に二つの紐通し孔を設けた請求項１から請求項９のいずれかに記載のゴミ収納体。
【請求項１１】
前記袋体支持板は、四角形のうちで湾曲されない側の二辺の側縁近くに、互いに対向する位置で紐通し孔を設けた請求項１から請求項１０のいずれかに記載のゴミ収納体。
【請求項１２】
前記袋体支持板における湾曲させない二辺の外周側縁の付近には、前記袋体へ湾曲挿入した場合に当該袋体とのズレを防止するためのズレ防止加工領域を設けた請求項１から請求項１１のいずれかに記載のゴミ収納体。
【請求項１３】
前記袋体支持板は、前記袋体の開口部に湾曲させて挿入した場合に、湾曲させない二辺の長さが前記袋体支持板を挿入された袋体の高さ寸法とほぼ一致するとともに、当該二辺の上端に挟まれた辺は、当該袋体の開口部から上方へ突出する形状とした請求項１から請求項１２のいずれかに記載のゴミ収納体。
【請求項１４】
前記袋体支持板は、前記袋体の開口部に湾曲させて挿入した際の上部側が前記開口部より上方へ突出する寸法であり、かつ突出した上下方向の二辺の側縁近くには、棒材を挿通可能な棒材用切り欠き部を設けた請求項１から請求項１３のいずれかに記載のゴミ収納体。
【請求項１５】
前記袋体支持板は、再利用可能な素材にて形成した請求項１から請求項１４のいずれかに記載のゴミ収納体。
【請求項１６】
前記袋体および前記袋体支持板は、廃棄処理が容易な素材で構成されていることを特徴とする請求項１から請求項１５のいずれかに記載のゴミ収納体。
【請求項１７】
前記袋体および前記袋体支持板は、収納されたゴミの種類を視認可能な透明材料にて形成した請求項１から請求項１６のいずれかに記載のゴミ収納体。
【請求項１８】
前記袋体および前記袋体支持板は、収納されたゴミを視認できない不透明材料にて形成した請求項１から請求項１７のいずれかに記載のゴミ収納体。
【請求項１９】
一辺に開口部を有する袋体と、
その袋体の開口部付近に対して弾性変形によって湾曲させて装着する帯板状の袋体支持板と、を備え、
その袋体支持板には、前記袋体の開口部の一部または全部を挟んで固定するための留め具を備えたゴミ収納体。
【請求項２０】
前記袋体の開口部に対して弾性変形によって湾曲させて一部または全部を挿入可能な大きさをなす袋体支持板と、を備えた袋体支持板。
【発明の詳細な説明】
【技術分野】
【０００１】
本発明は、ゴミ収納体およびそのゴミ収納体用の袋体支持板に関する。更に詳しくは、自立しないゴミ袋の開口部を開いた状態を容易に維持させるとともに、自立させることで、種々のゴミを前記ゴミ袋に収納し易くする技術に関する。
【背景技術】
【０００２】
家庭用のゴミから、種々の生産工場、建築現場や建築解体現場などから廃棄される産業廃棄物に至るまで、ゴミには廃プラ、ゴム、木材、コンクリート、紙類、繊維類などの種類があり、灰状、粉状、粒状、塊状、シート状などの形状や大きさがある。これらのゴミを収納したり、運搬したりするためには、ゴミ箱やゴミ袋が用いられる。
【０００３】
ゴミ箱とゴミ袋とを比較した場合、それぞれに利点と欠点とがある。すなわち、ゴミ箱は自立しており、ゴミの収納空間を予め確保している。一方、ゴミ袋は自立できないが、ゴミの収納空間はフレキシブルである。
【０００４】
両者の欠点を補う技術を調べたところ、特許文献１に記載されたような技術を発見した。この技術は「ゴミ袋付きゴミ箱」であり、折り畳みが自在であるという点で、ゴミ箱の欠点を解消している。
【０００５】
また、特許文献２には、「ゴミ箱用ゴミ袋留め具」を提供することで、ゴミ箱等の内部に装着した不安定なゴミ袋等が、ゴミ投入時等に移動・変形しないように、ゴミ袋等を拡げたままで固定でき、脱着が容易で、多様な容器に対応できる技術が開示されている。
特許文献１，２のいずれに記載された技術も、家庭におけるゴミを想定したものと言える。
【０００６】
一方、産業廃棄物を収納したり、運搬したりするためには、コンテナクラスの大きさの容器が用いられることが多い。たとえば、特許文献３に記載される「物流用コンテナ」であれば、可撓性容器内に産業廃棄物を収納できるとともに、前記可撓性容器およびその可撓性容器を支持する支持枠は折り畳むことも可能なので、前記可撓性容器が空のときはゴミ収納空間を圧迫しない。
【０００７】
また、特許文献４には、軽量コンパクトで機械的強度に優れ、運搬性、保管性に優れた特殊産業廃棄物用容器が開示されている。
【０００８】
【特許文献１】特開平１１−４９３０２号公報
【特許文献２】特開２００８−６３１３８号公報
【特許文献３】特開平７−２１５３９３号公報
【特許文献４】特開２００４−３５１１４号公報
【０００９】
また更に、近年ではゴミの処理方法の相違に対応した分別を回収時点でも行うため、多くの種類のゴミ箱やゴミ袋が存在しており、捨てる作業者がその種別を一目で識別できるような工夫も必要とされていた。そのため、ゴミ箱にネームプレートを付けたり、箱や袋の色を変えたりしていた。
【発明の開示】
【発明が解決しようとする課題】
【００１０】
さて、産業廃棄物を回収する現場は様々であるが、特許文献１，２やそれから考えられるレベルのゴミ箱などでは、容量や耐久性など要求性能を満たせない。
一方、特許文献３，４に開示されたコンテナや容器は、廃棄物を投入するのに、例えばフォークリフトやクレーンなどの搬送用の重機を用いることが想定される。
【００１１】
しかし、作業員が手に持てる大きさや重さの廃棄物も多数発生する。そのような廃棄物を収納するには、特許文献１〜４のいずれの技術も適さない。
更に、廃棄物を収納していないときにはコンパクトであって欲しいが、廃棄物の回収作業時には自立した容器として機能して欲しい、という要求がある。こうした要求に応えられる技術は、見あたらない。
【００１２】
本発明が解決しようとする課題は、ゴミの回収作業時には開口部を開いた状態で自立したゴミ袋にすることができ、一方、ゴミを収納していないときはコンパクトにできるゴミ収納体およびそのゴミ収納体に用いる袋体支持板を提供することを目的とする。
【課題を解決するための手段】
【００１３】
（請求項１）
請求項１に記載の発明は、ゴミを収納する袋体(20)の開口部(21)を開いた状態で自立できるゴミ収納体に係る。
すなわち、一辺に開口部(21)を有する袋体(20)と、  前記袋体(20)の開口部(21)に対して弾性変形によって湾曲させて一部または全部を挿入する大きさをなす袋体支持板(30)と、を備えたゴミ収納体(10)である。
【００１４】
（用語説明）
「ゴミ」とは、家庭用のゴミ、産業廃棄物を含む。
「袋体(20)の開口部(21)に弾性変形によって湾曲させて挿入可能な大きさ」とは、袋体支持板(30)の四角形のうちで湾曲される側の２辺の長さが、袋体(20)の開口部(21)の全周長の１／２より大きいことを示している。前記湾曲される側の二辺の長さが前記開口部(21)の全周長の１／２以下であれば、袋体支持板(30)は湾曲せず平板のまま袋体(20)に挿入されるからである。
「一部または全部を挿入可能」としているのは、袋体支持板(30)の高さ方向寸法が、袋体(20)の高さ方向寸法よりも小さい場合と大きい場合とがあることを意味している。なお、他の請求項でも言及しているが、袋体支持板(30)の高さ方向寸法が袋体(20)の高さ方向寸法よりも大きい場合には、袋体支持板(30)の上部は袋体(20)からはみ出すこととなる。
【００１５】
（作用）
請求項１記載の発明では、以下のような作用をなす。
袋体支持板(30)は、袋体(20)の開口部(21)に挿入可能な大きさに湾曲させてから、袋体(20)へ挿入する。その後に、袋体支持板(30)の湾曲を開放すると、袋体支持板(30)は平板原形への復帰力により、袋体(20)の中で突っ張った湾曲状態となる。その結果、袋体(20)は、袋体支持板(30)により、開口部(21)が開いた状態で自立できる。
ゴミ収納体(10)のゴミが一杯になったら、袋体支持板(30)を袋体(20)から抜き出すことができる。袋体支持板(30)を抜き出せばゴミ収納体が占有する空間が小さくなるので、運搬などの効率を上げることに寄与する。
また、抜き出した袋体支持板(30)は、次のゴミ収納体(10)を組み立てる際に再利用することができる。
ゴミ収納体として使用しない場合（未使用時）には、袋体(20)および袋体支持板(30)が占有する空間が極めて小さく、保管や郵送の効率を上げることに寄与する。
【００１６】
（請求項２）
請求項２に記載の発明は、請求項１に記載のゴミ収納体を限定したものである。
すなわち、前記袋体支持板(30)は、略四角形をなし、  その略四角形のうちで湾曲される側の二辺の長さ寸法は、袋体(20)の開口部(21)の全周の長さの２／３より大きく、かつ開口部(21)の全周の長さより小さく構成している。
【００１７】
（作用）
袋体支持板(30)の長さが袋体(20)の開口部(21)の全周長の１／２より少し大きいだけでは、袋体支持板(30)があまり湾曲しないので、袋体(20)の開口部(21)はあまり開口せず、袋体(20)を自立させることが難しいからである（図２参照）。
また、袋体支持板(30)の長さが袋体(20)の開口部(21)の全周長より大きい場合は、袋体支持板(30)を小さく湾曲させるための手間が掛かってしまうからである。その上、袋体(20)の中で袋体支持板(30)が原形平板へ復帰する復帰力を発揮できないことが生じる可能性もある。
【００１８】
（請求項３）
請求項３に記載の発明は、請求項１または請求項２のいずれかに記載のゴミ収納体を限定したものである。
すなわち、前記袋体支持板(30)における略四角形のうちで湾曲されない側の二辺の長さは、袋体(20)の深さより大きく構成していることを特徴とする。
【００１９】
（作用）
袋体支持板(30)は、袋体(20)の開口部(21)より上へ突出するので、ゴミが投入しやすい。
【００２０】
（請求項４）
請求項４に記載の発明は、請求項１から請求項３のいずれかに記載のゴミ収納体を限定したものである。
すなわち、前記袋体支持板(30)は、四角形の一辺の側縁近くに、人の指を挿入可能な取っ手用孔部(32)を設けている。
【００２１】
（作用）
袋体支持板(30)を湾曲させて挿入することで自立していた袋体(20)から袋体支持板(30)を引き抜く場合、例えばゴミが袋体(20)に一杯になった場合、作業者が取っ手用孔部(32)に指を引っ掛け、袋体支持板(30)を袋体(20)から容易に引き抜くことができる（図３参照）。
【００２２】
（請求項５）
請求項５に記載の発明は、請求項１から請求項４のいずれかに記載のゴミ収納体を限定したものである。
すなわち、前記袋体支持板(30)における前記袋体(20)の開口部(21)に湾曲させて挿入したときに上部側に位置する二つの隅部には、他の袋体支持板(30ａ)と互いに連結および離脱可能な留め具(33)を設けている（図４参照）。
【００２３】
（作用）
隣り合うゴミ収納体(10,10a)においては、袋体支持板(30)の隅部に設けた留め具(33)で容易に連結することができるので、安定性（自立性）が向上する。また、ゴミの分別において、ゴミの収納場所を全体としてコンパクトにすることにも寄与する。
【００２４】
（請求項６）
請求項６に記載の発明は、請求項１から請求項５のいずれかに記載のゴミ収納体を限定したものである。
すなわち、前記袋体支持板(30)は、複数の分割型袋体支持板(34)で構成し、その分割型袋体支持板(34)は、各々互いに連結することで前記の袋体支持板(30)を構成する。
なお、連結後に脱着可能であるように形成しても良いし、連結後は外せないように構成しても良い。
【００２５】
（作用）
複数の分割型袋体支持板(34)を連結して大きな袋体支持板(30)を形成することができる。それにより、袋体(20)の大きさが変化しても対応可能となる（図５参照）。
【００２６】
（請求項７）
請求項７に記載の発明は、請求項１から請求項５のいずれかに記載のゴミ収納体を限定したものである。
すなわち、前記袋体支持板(30)は、複数の分割型袋体支持板(37)で構成し、その分割型袋体支持板(37)は、各々互いにスライドして拡大および縮小自在である連結部材(38)を設けている。
【００２７】
（作用）
袋体支持板(30)は、袋体(20)と組み合わせてゴミ収納体を形成しない場合（使用前の状態の場合）には、複数の分割型袋体支持板(37)は、連結部材(38)を操作して互いに重なり合わせる方向にスライドさせて縮小した状態で収納することができる。これによって、収納場所の最大寸法をコンパクトにすることができる。
袋体支持板(30)を袋体(20)と組み合わせてゴミ収納体を形成するときは、複数の分割型袋体支持板(37)を広げるようにスライドさせて使用することができる。すなわち、袋体(20)の大きさに合わせる作業が容易となる（図６参照）。
【００２８】
（請求項８）
請求項８に記載の発明は、請求項１から請求項７のいずれかに記載のゴミ収納体を限定したものである。
すなわち、前記袋体支持板(30)は、識別カード(39)を挿入可能なポケット部(41)を設け、そのポケット部(41)は、前記袋体(20)に湾曲させて挿入した場合に、上部の内側に位置する部位において前記識別カード(39)が固定可能であるように形成する。
【００２９】
（作用）
ゴミ収納体(10)を組み立てた場合、ゴミ収納体(10)を目の前にした作業者の目に触れる位置にポケット部(41)がくる。そのポケット部(41)に対して、分別されるゴミの種類毎に、識別カード(39)で収納すべきゴミの種類を明確に表示することができる（図７参照）。
なお、本請求項では前記袋体支持板(30)を湾曲させた場合に内側となる部位にポケット部(41)を設けるとしているが、外側にもポケット部(41)を設けることを排除するものではない。
【００３０】
（請求項９）
請求項９に記載の発明は、請求項１から請求項８のいずれかに記載のゴミ収納体を限定したものであり、
前記袋体支持板(20)は、袋体支持板(20)を吊り下げるための収納用フック(71)を挿入可能なフック用孔部(42)を設ける。
【００３１】
（作用）
複数の袋体支持板(30)は、フック用孔部(42)を収納用フック(71)に引っ掛けて容易に収納することができる。たとえば、分別される複数のゴミの種類毎に収納用フック(71)を設けておけば、容易に管理することができる（図８）。
【００３２】
（請求項１０）
請求項１０に記載の発明は、請求項１から請求項９のいずれかに記載のゴミ収納体を限定したものであり、
前記袋体支持板(30)は、その長さ方向のほぼ中央の位置に二つの紐通し孔(43)を設けている。
【００３３】
（作用）
二つの紐通し孔(43)に紐(44)を通し、その紐(44)を柱(72)などの構造物(70)に結びつければ、ゴミ収納体(10)は、地上から浮かせた状態とすることができる。そうすることで、例えばゴミ収集の作業をし易い高さに固定することができる（図９参照）。
【００３４】
（請求項１１）
請求項１１に記載の発明は、請求項１から請求項１０のいずれかに記載のゴミ収納体を限定したものであり、
前記袋体支持板(30)は、四角形のうちで湾曲されない側の二辺の側縁近くに、互いに対向する位置で紐通し孔(45,45)を設ける。
【００３５】
（作用）
二つの紐通し孔(45,45)を連続する紐(44)を通し、その紐(44)を柱(72)などの構造物(70)に結びつけることにより、たとえばゴミ収集作業をし易い高さに取り付けることができる（図１０）。
また、紐通し孔(45)を用いて隣り合うゴミ収納体(10)を連結したりすることもできる。
【００３６】
（請求項１２）
請求項１２に記載の発明は、請求項１から請求項１１のいずれかに記載のゴミ収納体を限定したものである。
すなわち、前記袋体支持板(30) における湾曲させない二辺(31b,31d)の外周側縁の付近には、前記袋体(20) へ湾曲挿入した場合に当該袋体(20)とのズレ防止のためのズレ防止加工領域(46)を設ける。
ズレ防止加工領域(46)は、湾曲させない二辺に少なくとも設ける。袋体(20)の底に位置することとなる辺にも設けることが好ましく、四辺全てに設けることがより好ましい。
【００３７】
（作用）
ズレ防止加工領域(46)を設けているので、袋体(20)へゴミが投入された場合などに生じる衝撃で、袋体(20)と袋体支持板(30)とがズレることが少なくなる。そのため、ゴミの投入作業がやりやすくなる（図１１参照）。
【００３８】
（請求項１３）
請求項１３に記載の発明は、請求項１から請求項１２のいずれかに記載のゴミ収納体を限定したものである。
すなわち、前記袋体支持板(30)は、前記袋体(20)の開口部(21)に湾曲させて挿入した場合に、湾曲させない二辺(31b,31d)の長さが前記袋体支持板(30)を挿入された袋体(20)の高さ寸法とほぼ一致するとともに、当該二辺の上端に挟まれた辺は、当該袋体(20)の開口部(21)から上方へ突出する形状とする。
「袋体(20)の開口部(21)から上方へ突出する形状」とは、最も単純な形状としては、山形である（図１２参照）。
【００３９】
（作用）
ゴミ収納体(10)から少し離れたところから、ゴミを袋体(20)の開口部(21)より上方へ突出した形状の部分に当てるように放り投げることができるので、ゴミの収納効率が向上する。
【００４０】
（請求項１４）
請求項１４に記載の発明は、請求項１から請求項１３のいずれかに記載のゴミ収納体を限定したものである。
すなわち、前記袋体支持板(30)は、前記袋体(20)の開口部(21)に湾曲させて挿入した際の上部側が前記開口部(21)より上方へ突出する寸法であり、かつ、突出した上下方向の二辺の側縁近くに棒材(47)を挿通可能な棒材用切り欠き部を設ける。
「棒材用切り欠き部」とは、貫通した孔としてもよいし、湾曲させない辺(31b,31d)から連続させた切り欠き（48,49）としてもよい。
【００４１】
（作用）
ゴミ収納体(10)が自立した状態で、棒材(47)が切欠き孔部(49)を経て棒材用孔部(48)へ挿通されることにより、ゴミ収納体(10)の自立状態がより一層安定することになる（図１３参照）。
【００４２】
（請求項１５）
請求項１５に記載の発明は、請求項１から請求項１４のいずれかに記載のゴミ収納体を限定したものであり、
前記袋体支持板(30)は、再利用可能な素材にて形成する。
「再利用可能な素材」とは、例えば、アルミニウム合金など金属製の板（再利用可能な素材）、再生可能な熱可塑性樹脂（再生を前提とした素材）、再生プラスチックにて形成した樹脂（再生した素材）などである。
【００４３】
（作用）
再利用可能な素材を用いることにより、素材を作成する際に必要な資源節約に貢献できる。
【００４４】
（請求項１６）
請求項１６に記載の発明は、請求項１〜１５のいずれかに記載のゴミ収納体を限定したものであり、
前記袋体(20)および袋体支持板(30)は、廃棄処理が容易な素材で構成されていることを特徴とする。
「廃棄処理が容易な素材」とは、例えば燃焼時に有毒ガスを発生しない熱可塑性樹脂である。
【００４５】
（作用）
袋体(20)および袋体支持板(30)の両方の素材を廃棄処理が容易な素材とすることにより、袋体支持板(30)を抜かずに袋体(20)と一緒にして廃棄処理場へ搬送することができる。ゴミの種類によって袋体支持板(30)が袋体(20)から抜きにくい場合は、作業効率の向上に寄与する。
【００４６】
（請求項１７）
請求項１７に記載の発明は、請求項１から請求項１６のいずれかに記載のゴミ収納体を限定したものであり、
前記袋体(20)および袋体支持板(30)は、収納されたゴミの種類を視認可能な透明材料にて形成する。
「透明材料」とは、たとえば、無色あるいは有色透明な熱可塑性樹脂である。
【００４７】
（作用）
ゴミの収集作業者も、収集作業後の運搬作業者も、袋体(20)の中身を視認できる。そのため、分別回収の精度向上に寄与できる。
【００４８】
（請求項１８）
請求項１８に記載の発明は、請求項１〜１７のいずれかに記載のゴミ収納体を限定したものであり、
前記袋体(20)および袋体支持板(30)は、収納されたゴミを視認できない不透明材料にて形成する。
「不透明材料」とは、たとえば、光透過性の無いあるいは光透過性が所定以下の熱可塑性樹脂、袋体(20)であれば麻袋などである。
【００４９】
（作用）
袋体(20)の中身を視認できない方が良い場合に寄与する。なお、ゴミの収集作業者や収集作業後の運搬作業者にのみ識別できるマークなどを別途設けることが、作業効率との両立には好ましい。
【００５０】
なお、前記袋体支持板(30)には、種々の絵柄等を形成したり、抜き型などを備えてもよい。絵柄は、印刷、塗装などの方法がある。
【００５１】
袋体支持板(30)にデザインを施すことにより、作業者、運搬者などに対しての作業意識の向上、購買者へのアピール向上に寄与することができる。
【００５２】
（請求項１９）
請求項１９に記載の発明は、  一辺に開口部(21)を有する袋体(20)と、  その袋体(20)の開口部(21)付近に対して弾性変形によって湾曲させて装着する帯板状の袋体支持板(61)と、を備え、  その袋体支持板(61)には、前記袋体(20)の開口部(21)の一部または全部を挟んで固定するための留め具(62)を備えたゴミ収納体(60)に係る。
【００５３】
（作用）
請求項１９記載の発明は、以下のような作用をなす。
袋体開口用支持板(61)を湾曲させ、留め具(62)にて、前記袋体(20)の開口部(21)の一部または全部を挟んで固定する。すると、袋体(20)の開口部(21)が開口した状態となり、ゴミ収納空間が確保されたゴミ収納体(60)が形成される。例えば、袋体開口用支持板(61)を、自動車(80)のシート(81)のヘッドレスト(82)に引っ掛けるように取り付けることにより使用できる（図１６参照）。
【００５４】
（請求項２０）
請求項２０は、請求項１９に記載された袋体開口用支持板(61)、または請求項１から請求項１８に記載された袋体支持板に係る。
すなわち、当該発明たる袋体支持板は、前記袋体の開口部に対して弾性変形によって湾曲させて一部または全部を挿入可能な大きさをなす袋体支持板と、を備える。
【００５５】
袋体(20)が別途用意できている場合、本請求項に係る袋体支持板のみで、ゴミ収納体を形成することができる。
【発明の効果】
【００５６】
請求項１から請求項１８に記載の発明によれば、ゴミの回収作業時には開口部を開いた状態で自立したゴミ袋にすることができ、一方、ゴミを収納していないときはコンパクトにできるゴミ収納体を提供することができた。
請求項１９および請求項２０に記載の発明によれば、ゴミを収納していないときはコンパクトにできるゴミ収納体およびそのゴミ収納体に用いる袋体支持板を提供することができた。
【発明を実施するための最良の形態】
【００５７】
以下、本発明の実施形態について図面を参照して説明する。
図１および図２に示すように、この実施形態に係るゴミ収納体１０は、一辺に開口部２１を有する袋体２０と、この袋体２０の開口部２１に挿入して前記開口部２１を開くための袋体支持板３０と、で構成されている。
【００５８】
前記袋体２０は、収納するゴミが廃プラ、ゴム、木材、コンクリート、紙類、繊維類などの種類により、紙袋、ポリ袋やビニル袋などの樹脂製袋、麻袋などのように種々の材質のゴミ袋が適用される。また、ゴミ袋の形態は、レジ袋などのように取っ手が付いていても、いなくても、あるいは袋の底の部分に襠が付いていても、いなくても、あるいはその他の形態の袋体２０であっても良い。
【００５９】
また、前記袋体支持板３０は、前記袋体２０の開口部２１に湾曲させて挿入する大きさを有している。しかも、ほぼ長方形ないしは正方形等の４辺３１ａ，３１ｂ，３１ｃ，３１ｄを有する四角形の平板をなしており、前記平板の原形へ復帰する復帰力を有するものである。
なお、袋体支持板３０は、図２（Ａ）に示されているように、四角形の四隅が丸形状にカットされている。前記袋体２０の開口部２１への挿入時における袋体２０の破損防止や、ゴミ袋として使用時の安全を図るためである。
【００６０】
なお、上述した「袋体２０の開口部２１に湾曲させて挿入する大きさ」とは、袋体支持板３０の四角形のうちで湾曲される側の２辺３１ａ，３１ｃの長さＡが、袋体２０の開口部２１の全周長Ｌの１／２より大きいことを示している。その理由は、前記湾曲される側の２辺３１ａ，３１ｃの長さＡが前記開口部２１の全周長Ｌの１／２以下であれば、袋体支持板３０は湾曲せず平板のまま袋体２０に挿入されるからである。
しかし、袋体支持板３０の長さＡが袋体２０の開口部２１の全周長Ｌの１／２より少し大きいだけでは、袋体２０の開口部２１はあまり開口せず、袋体支持板３０により袋体２０を支持して自立させることが難しい。したがって、袋体支持板３０の長さＡは、少なくとも袋体２０における開口部２１の全周長Ｌの２／３より大きいことが望ましい。
【００６１】
一方、袋体支持板３０の長さＡが袋体２０の開口部２１の全周長Ｌより大きい場合は、袋体支持板３０を小さく丸めるように湾曲させてから袋体２０の開口部２１に挿入する必要が生じるので手間がかかるし、袋体２０の開口部２１に挿入された袋体支持板３０が原形の平板へ復帰する復帰力を発揮できない事態も生じてくる。そこで、袋体支持板３０の長さＡは袋体２０の開口部２１の全周長Ｌより小さいことが望ましい。
【００６２】
上記構成により、例えば、建築現場では木材、コンクリート、紙類などの多量のゴミが発生するので、ゴミの種類に分別してゴミ袋に収納する必要がある。例えば、麻袋の袋体２０と厚さ１．０ｍｍの硬質塩化ビニル樹脂製の袋体支持板３０を採用する。
このとき、図２（Ｃ）に示すように、袋体２０の開口部２１を開いておき、袋体支持板３０を図２（Ｂ）に示すように袋体２０の開口部２１に挿入可能な大きさに手で押さえて湾曲させてから、袋体支持板３０を袋体２０の開口部２１へ挿入する。次いで、袋体支持板３０から手を離すと、図１に示すように、袋体支持板３０の平板原形への復帰力により袋体支持板３０が袋体２０の内部で突っ張って湾曲状態となる。
袋体２０は、袋体支持板３０により開口部２１が開いた状態が維持されることになり、さらに、袋体支持板３０が袋体２０の内部で湾曲状態になるので、袋体２０が自立できるようになり、ゴミ収納体１０が容易に組み立てられて完成することになる。
【００６３】
このゴミ収納体１０が、分別されるゴミの種類毎に組み立てられ、各種ゴミが収納できる。その後、ゴミ収納体１０のゴミが一杯になったら、袋体支持板３０を袋体２０から容易に抜き出す。それによって、ゴミ収納体１０が占有していた空間は小さくなり、袋体２０の開口部２１を紐で縛るなどして搬送に供する。上記の抜き出した袋体支持板３０は、次のゴミ収納体１０を組み立てる際に再び用いることができる。
【００６４】
上記の袋体支持板３０は、四角形のうちで湾曲されない側の２辺３１ｂ，３１ｄの長さＢが、袋体２０の深さＨより大きくされることにより、図１に示されているように、袋体２０に挿入された袋体支持板３０は、袋体２０の開口部２１より上へ突出する。これにより、上述したようにゴミ収納体１０のゴミが一杯になってから、袋体支持板３０を袋体２０から抜き出すときに、袋体２０の開口部２１から上に突出した袋体支持板３０の部分を掴むことができるので、袋体支持板３０を袋体２０から容易に引き抜くことができる。
【００６５】
前述したような建築現場で使用するのではなく、一般の家庭用のゴミ袋として使用する場合は、袋体支持板３０が袋体２０の中に入り込んだ方が体裁が良いので、袋体支持板３０が袋体２０の開口部２１より少し内部に入るように、袋体支持板３０の湾曲されない側の２辺３１ｂ，３１ｄの長さＢは袋体２０の深さに応じて小さくしてもよい。
【００６６】
図３を参照して説明する。前述した実施形態の袋体支持板３０に加えて、袋体支持板３０の四角形の上部に位置する１辺３１ａの側縁近くには、人の指を挿入可能な取っ手用孔部３２を設けることが望ましい。２つ以上の取っ手用孔部３２が設けられることがより望ましい。また、各取っ手用孔部３２は、少なくとも作業者の２本の指が入る大きさが望ましい。
これにより、袋体支持板３０が袋体２０の開口部２１から挿入されて完成したゴミ収納体１０は、図３（Ｂ）に示されているように、取っ手用孔部３２が袋体２０の開口部２１から突出した袋体支持板３０の部分に位置するので、ゴミが一杯になった袋体２０から袋体支持板３０を抜き出すときに、取っ手用孔部３２に指を引っかけて袋体支持板３０を袋体２０から容易に引き抜くことができる。また、袋体支持板３０が袋体２０の中に入っている場合でも、取っ手用孔部３２に指を引っかけて容易に引き抜くことができる。
【００６７】
図４を参照して説明する。前述した実施形態の袋体支持板３０は、袋体２０の開口部２１に湾曲させて挿入したときに上部側に位置する２つの隅部に他の袋体支持板３０と互いに連結および離脱可能な留め具３３を設けることができる。例えば、前記留め具３３は、図４（Ｂ）に示されているように、隣り合う他のゴミ収納体１０の袋体支持板３０の隅部に設けた留め具３３と連結および離脱可能な雄型、雌型で構成することができる。図４の場合は、雄型が突起部で、雌型が孔部であるが、双方が嵌合する雄型、雌型であっても良く、特に限定されない。
【００６８】
図６に示すように、複数のゴミ収納体１０は、一列に並べたときに隣り合うゴミ収納体１０の袋体支持板３０がその隅部に設けた対応する雄型と雌型の留め具３３で容易に連結することができ、ゴミ収納体１０を単独で設置するよりも安定性（自立性）が向上する。
【００６９】
図５を参照して説明する。前述した実施形態の袋体支持板３０は、複数の分割型袋体支持板３４で構成することができる。すなわち、各分割型袋体支持板３４は、図２（Ａ）および図３と同様の形態とし、さらに加えて各分割型袋体支持板３４を留め具３５などで互いに連結および離脱可能に設けられている。
例えば、図５（Ａ）では、各分割型袋体支持板３４の四角形の４辺３１ａ，３１ｂ，３１ｃ，３１ｄの側縁に沿って複数の連結用の孔部３６が各分割型袋体支持板３４の中央を中心とした点対称位置に設けられている。これにより、複数の分割型袋体支持板３４は、図５（Ｂ）に示されているように、左右と上下のいずれの場合でも互いに対応する孔部３６を重ね合わせて留め具３５で何枚でも容易に連結することができる。その結果、ある程度の所望の大きさの袋体支持板３０にすることができるので、袋体２０の大きさが変化してもある程度対応可能となる。
【００７０】
なお、上記の連結用の孔部３６に変えて、連結および離脱可能な雄型、雌型の留め具３３を直接的に各分割型袋体支持板３４に設けても良い。また、分割型袋体支持板３４の大きさによっては、連結用の孔部３６や留め具３３は分割型袋体支持板３４の四隅に設けるだけでも良い。
複数の分割型袋体支持板３４を連結して完成した袋体支持板３０は、図１に示された袋体支持板３０と同様に使用されるので、詳しい説明は省略する。
【００７１】
図６を参照して説明する。袋体支持板３０が複数の分割型袋体支持板で構成する実施形態としては、例えば、各分割型袋体支持板３７は、図２（Ａ）、図３および図４と同様の形態とし、さらに加えて複数の分割型袋体支持板３７を互いにスライドして拡大および縮小自在とするために、隣り合う各分割型袋体支持板３７を連結した状態でスライド可能なスライド部材３８を設けることができる。
【００７２】
なお、スライド部材３８は、フレキシブルであり、例えば、図６（Ａ）の紙面に垂直な方向で上側の分割型袋体支持板３７に横長の切欠き部３８ａを設け、この切欠き部３８ａに多数の段付部３８ｂを形成する。一方、図６（Ａ）の紙面に垂直な方向で下側の分割型袋体支持板３７には前記切欠き部３８ａに挿通して多数の段付部３８ｂ毎に移動調節可能な突起部３８ｃを設けることができる。あるいは、その他の構造形態のスライド部材３８であっても良い。
これにより、袋体支持板３０として使用されないときは、例えば図６の２枚の分割型袋体支持板３７は互いに重なり合わせる方向にスライドさせてコンパクトに縮小した状態に収納しておく。一方、袋体支持板３０として使用するときは、２枚の分割型袋体支持板３７を図６（Ａ）において左右方向に広げるようにスライドさせて使用することができる。袋体２０の大きさが変化しても容易に合わせることができる。複数枚の分割型袋体支持板３７が組み合わされた袋体支持板３０は、図１に示された袋体支持板３０と同様に使用されるので、詳しい説明は省略する。
【００７３】
図７を参照して説明する。前述した実施形態の袋体支持板３０には、識別カード３９を挿入可能なポケット部４１が、例えば袋体支持板３０の図７において上辺３１ａの側縁付近のほぼ中央位置に貼り付けるなど固定方法で取り付けることができる。なお、ポケット部４１を取り付ける位置は上述した位置に限定されない。袋体支持板３０がゴミ収納体１０に使用される際に、識別カード３９が作業者やゴミを捨てようとする人から視認容易な箇所に取り付けることが望ましい。
【００７４】
ポケット部４１は透明材質で構成されることにより、識別カード３９の表示を明確に読むことができる。また、識別カード３９には、例えば、図７に示すように、樹脂類は「プラスチック」と記載される。紙類は「紙」、木材は「木」などと記載する。
これにより、図７（Ｂ）に示すように組み立てられたゴミ収納体１０は、分別されるゴミの種類毎に、収納すべきゴミの種類を明確に表示することができる。
【００７５】
図８を参照して説明する。前述した実施形態の袋体支持板３０には、構造物７０などに設けた収納用フック７１を挿入可能なフック用孔部４２を設けることができる。図８（Ａ）では、フック用孔部４２は、袋体支持板３０が収納用フック７１に引っ掛けられるときに袋体支持板３０の長さ方向が上下方向になるように、短辺側（図８では辺３１ｂ）の側縁付近に設けられている。フック用孔部４２が設けられる箇所は限定されず、四角形の４辺３１ａ，３１ｂ，３１ｃ，３１ｄのいずれの側縁に設けられても良い。
【００７６】
また、収納用フック７１は、例えば、図８（Ｂ）に示されているように、構造物７０の壁に設けられたり、袋体支持板３０を収納する図示しない収納ボックスの中に、分別される複数のゴミの種類毎に設けられる。複数枚の袋体支持板３０は、それぞれ該当する収納用フック７１に引っ掛けられることにより、複数枚の袋体支持板３０を容易に収納し、管理することができる。
【００７７】
図９を参照して説明する。前述した実施形態の袋体支持板３０には、その長さ方向のほぼ中央の位置に２つの紐通し孔４３を設けることができる。この袋体支持板３０と袋体２０により、図９（Ｂ）に示すように組み立てられたゴミ収納体１０は、２つの紐通し孔４３に紐４４を貫通させ、例えば構造物７０の柱７２などの部材にくくりつけることができる。このとき、ゴミ収納体１０を柱７２の中間位置に地上から浮かせた状態で固定することができる。
【００７８】
これにより、ゴミ収納体１０は、作業をし易い高さに設置することができる。しかも、例えば発泡スチロールのような軽いゴミをゴミ収納体１０に収納しても、袋体２０が袋体支持板３０からずり落ちることはない。
なお、ゴミ収納体１０は上記のように柱７２に取り付けなくとも、柱７２や棒だけでなく、例えば柵や突起がある壁にも取り付けることができる。ゴミ収納体１０は紐４４で縛って何らかの構造物７０に固定できれば安定性が向上し、作業効率アップに寄与する。
【００７９】
図１０を参照して説明する。前述した実施形態の袋体支持板３０には、四角形のうちで湾曲されない側の２辺３１ａ，３１ｃ（上下方向の２辺）の側縁近くに、互いに対向する位置で紐通し孔４５を設けることができる。この袋体支持板３０と袋体２０により、図１０（Ｂ）に示すように組み立てられたゴミ収納体１０は、上記の２つの紐通し孔４５に紐４４を通し、この紐４４を例えば構造物７０の柱７２などの部材や、壁に固定したフックに引っ掛けることができる。
【００８０】
これにより、ゴミ収納体１０は、前述した図９の場合と同様に柱７２や壁の中間に地上から浮かせて作業をし易い高さに取り付けることができる。壁などに取り付けた場合は、袋体支持板３０の湾曲側を壁の外側に向けて体裁良く、しかも軽いゴミを収納することができる。床面や地上に接地するようにした場合は、重量物のゴミであっても収納できる。
【００８１】
図１１を参照して説明する。前述した実施形態の袋体支持板３０には、例えば四角形の４辺３１ａ，３１ｂ，３１ｃ，３１ｄの側縁の付近に、つまり組み合わせる袋体２０と接触する側の面の外周側縁の付近に、前記袋体２０とのズレ防止のためのズレ防止加工領域４６を設けることができる。ズレ防止加工領域４６には、例えばズレ防止用ゴムを設けている。
【００８２】
この袋体支持板３０と袋体２０により、図１１（Ｂ）に示すように組み立てられたゴミ収納体１０は、ズレ防止加工領域４６を設けていない他の袋体支持板３０を使用した場合と比べて、ゴミを収納する際の袋体２０と袋体支持板３０のズレが少なくなる。
【００８３】
図１２を参照して説明する。袋体支持板３０は、四角形の平板に対して図１２の上辺側（辺３１ａ側）を山形状に形成するものである。つまり、袋体２０の開口部２１に湾曲させて挿入したときの上部側が山形状に形成され、しかも、前記山形状の部分が袋体２０の開口部２１より上方へ突出する大きさとしている。この袋体支持板３０と袋体２０により、図１２（Ｂ）に示すように組み立てられたゴミ収納体１０は、前記山形状の部分が袋体２０の開口部２１より上方へ突出することとなる。したがって、ゴミ収納体１０から少し離れたところから、収納するゴミを前記山形状の部分に当てるように放り投げることができ、ゴミの収納効率の向上に寄与する。
【００８４】
図１３を参照して説明する。前述した実施形態の袋体支持板３０に加えて、前記袋体２０の開口部２１に湾曲させて挿入したときの上部側が前記開口部２１より上方へ突出する大きさである。さらに、前記開口部２１より上方へ突出した袋体支持板３０の上下方向の２辺３１ｂ，３１ｄの側縁近くには、棒材４７を挿通可能な棒材用孔部４８が設けられており、前記棒材用孔部４８と前記２辺３１ｂ，３１ｄの側縁に連通する切欠き孔部４９が設けられている。あるいは、図示していないが前記棒材用孔部４８が設けられるだけでも良い。後者の場合は、棒材４７を側方から各棒材用孔部４８に挿通する必要がある。
【００８５】
ゴミ収納体１０が自立した状態では、図１３（Ｂ）に示すように、棒材４７が上記の切欠き孔部４９を経て棒材用孔部４８へ挿通されることにより、ゴミ収納体１０の自立状態が棒材４７により確実に支えられることで、一層安定することになる。
なお、複数のゴミ収納体１０が分別されるゴミの種類毎に一列に並べられた状態で、複数のゴミ収納体１０が前記棒材４７で支持されることによって、前記複数のゴミ収納体１０が一層安定することになる。
【００８６】
前述した実施形態の袋体支持板３０は、資源の有効活用を考慮する場合、たとえば、再利用可能な素材としてアルミニウム合金など金属製の板とする。また、再生を前提とした素材として再生可能な熱可塑性樹脂を採用する場合もある。更に、再生プラスチックにて形成した樹脂、例えばペット樹脂などの再生利用可能な素材を採用する場合もある。
【００８７】
前述とは逆に、前述した実施形態の袋体２０および袋体支持板３０は、紙素材やプラスチック素材などのように、そのまま燃やしたり廃棄したりすることのできる廃棄処理可能な素材を採用する場合もある。この場合、ゴミが一杯になっても、袋体支持板３０を抜かずに袋体２０と一緒にして廃棄処理場へ搬送することができる。例えば、塊状のゴミ、粘性が高いゴミなどでは、袋体支持板３０を袋体２０から抜くことが難しくなる場合があるので、作業効率の向上に寄与する。
【００８８】
また、前述した実施形態の袋体２０および袋体支持板３０は、収納されるゴミの種類を識別可能な透明材料で構成することができる。作業者や運搬者が袋体２０の中身を視認できる。
これとは逆に、前述した実施形態の袋体２０および袋体支持板３０は、収納されるゴミを識別できない不透明材料で構成することもできる。ゴミの種類によって袋体２０の中身を識別できない方が良い場合に効果がある。
【００８９】
図１４を参照して説明する。前述した実施形態の袋体支持板３０の表面には、印刷や塗装によって種々の絵柄やキャラクター等のデザイン５１を施している。これにより、図１４（Ｂ）に示されているように、ゴミ袋とはいえ、装飾性が向上することになる。
【００９０】
上記の絵柄としては、例えば、図１５に示されているように、弓矢の的のような標的５２をデザインすることもできる。この袋体支持板３０と袋体２０により、図１５（Ｂ）に示すように組み立てられたゴミ収納体１０の場合、作業者が標的５２をめがけてゴミを放り投げる、といったゲーム性を感じ、精神的に効率を向上させることに寄与し、ゴミ収納体１０へ収納することができる。
【００９１】
次に、他の実施形態のゴミ収納体６０について図面を参照して説明する。なお、前述した実施形態のゴミ収納体１０と同様の部分は同じ符号を付して詳しい説明は省略する。
前記袋体２０は、前述した実施形態のゴミ収納体１０で説明したように、種々の材質や形態のゴミ袋が適用される。しかし、これまで説明してきたゴミ収納体１０は重量物のゴミに対して適用可能であるが、この実施形態に係るゴミ収納体６０は比較的軽量なゴミを対象とするものである。
【００９２】
図１６を参照して説明する。このゴミ収納体６０は、一辺に開口部２１を有する袋体２０と、この袋体２０の開口部２１を開くための袋体開口用支持板６１と、で構成されている。
前記袋体開口用支持板６１は、図１６（Ａ）に示されているように、帯状の平板をなしており、前記平板はその長さ方向に湾曲させた両端部に、前記袋体２０の開口部２１の一部を外側から挟んで着脱可能に固定するための留め具６２を備えている。しかも、前記平板の原形へ復帰する弾性力を備えている。
【００９３】
図１６（Ａ）では、袋体開口用支持板６１の各両端部には少しの間隔を介して２つの留め具６２が設けられており、前記両端部を互いに重ね合わせたときに対向する位置で連結および離脱可能な雄型、雌型の留め具６２で構成されている。図１６の場合は、雄型が突起部で、雌型が孔部であるが、双方が嵌合する雄型、雌型であっても良く、特に限定されない。
【００９４】
以上のような構成により、袋体開口用支持板６１の両端部で例えばレジ袋のような袋体２０の開口部２１の一部を外側から挟み込んで２つの留め具６２で固定することができる。その結果、袋体開口用支持板６１はリング状になるので、袋体２０の開口部２１付近をリング状の袋体開口用支持板６１に被せるようにするだけで、袋体２０の開口部２１を開口した状態に維持することができる。また、リング状の袋体開口用支持板６１は、図１６（Ｃ）に示されているように、例えば自動車８０のシート８１におけるヘッドレスト８２の支持部材８３に引っ掛けるように取り付けることにより、容易に車内にゴミ収納体６０を設けることができる。
【００９５】
図１７を参照して説明する。このゴミ収納体６０は、基本的には前述した図１６のゴミ収納体６０と同様であり、ここで使用される袋体開口用支持板６３は、上下に配置した２つの袋体開口用支持板６１を２つの支持部材６４で一体的に連結したものである。
したがって、上側の袋体開口用支持板６１はその両端部で袋体２０の開口部２１の一部を外側から挟んで留め具６２で固定し、下側の袋体開口用支持板６１はその両端部で袋体２０の中間の一部を外側から挟んで留め具６２で固定するので、より一層安定した状態で袋体２０を保持することができる。他の作用、効果は図１６のゴミ収納体６０と同様である。
【図面の簡単な説明】
【００９６】
【図１】本発明の実施形態に係るゴミ収納体の斜視図である。
【図２】（Ａ）〜（Ｃ）は、図１のゴミ収納体を組み立てる状態を示す説明図である。
【図３】（Ａ）は他の形態の袋体支持板の平面図で、（Ｂ）は（Ａ）を用いたゴミ収納体の一部の斜視図である。
【図４】（Ａ）は他の形態の袋体支持板の平面図で、（Ｂ）は（Ａ）を用いたゴミ収納体の複数を連結する前の状態を示す一部の斜視図で、複数のゴミ収納体を連結した状態を示す一部の斜視図である。
【図５】（Ａ）は他の形態の袋体支持板の組立前の斜視図で、（Ｂ）は組立後の袋体支持板の平面図である。
【図６】（Ａ）は他の形態の袋体支持板の平面図で、（Ｂ）は（Ａ）を用いたゴミ収納体の一部の斜視図である。
【図７】（Ａ）は他の形態の袋体支持板の平面図で、（Ｂ）は（Ａ）を用いたゴミ収納体の一部の斜視図である。
【図８】（Ａ）は他の形態の袋体支持板の平面図で、（Ｂ）は（Ａ）を用いたゴミ収納体の一部の斜視図である。
【図９】（Ａ）は他の形態の袋体支持板の平面図で、（Ｂ）は（Ａ）を用いたゴミ収納体の一部の斜視図である。
【図１０】（Ａ）は他の形態の袋体支持板の平面図で、（Ｂ）は（Ａ）を用いたゴミ収納体の一部の斜視図である。
【図１１】（Ａ）は他の形態の袋体支持板の平面図で、（Ｂ）は（Ａ）を用いたゴミ収納体の一部の斜視図である。
【図１２】（Ａ）は他の形態の袋体支持板の平面図で、（Ｂ）は（Ａ）を用いたゴミ収納体の一部の斜視図である。
【図１３】（Ａ）は他の形態の袋体支持板の平面図で、（Ｂ）は（Ａ）を用いたゴミ収納体の一部の斜視図である。
【図１４】（Ａ）は他の形態の袋体支持板の平面図で、（Ｂ）は（Ａ）を用いたゴミ収納体の一部の斜視図である。
【図１５】（Ａ）は他の形態の袋体支持板の平面図で、（Ｂ）は（Ａ）を用いたゴミ収納体の一部の斜視図である。
【図１６】（Ａ）は本発明の他の実施形態に係るゴミ収納体に用いる袋体開口用支持板の平面図で、（Ｂ）は（Ａ）を用いたゴミ収納体の斜視図で、（Ｃ）は（Ｂ）を自動車のシートに取り付けた例を示す斜視図である。
【図１７】（Ａ）は本発明の他の実施形態に係るゴミ収納体に用いる袋体開口用支持板の平面図で、（Ｂ）は（Ａ）を用いたゴミ収納体の斜視図である。
【符号の説明】
【００９７】
１０  ゴミ収納体
２０  袋体 ２１  開口部
３０  袋体支持板         ３１ａ，３１ｂ，３１ｃ，３１ｄ  辺
３２  取っ手用孔部 ３３  留め具
３４  分割型袋体支持板 ３５  留め具
３６  連結用の孔部 ３７  分割型袋体支持板
３８  スライド部材
３８ａ  切欠き部         ３８ｂ  段付部
３８ｃ  突起部
３９  識別カード         ４１  ポケット部
４２  フック用孔部 ４３  紐通し孔
４４  紐         ４５  紐通し孔
４６  ズレ防止加工領域 ４７  棒材
４８  棒材用孔部         ４９  切欠き孔部
５１  デザイン ５２  標的
６０  ゴミ収納体
６１  袋体開口用支持板 ６２  留め具
６３  袋体開口用支持板 ６４  支持部材
７０  構造物
７１  収納用フック ７２  柱
８０  自動車
８１  シート ８２  ヘッドレスト
８３  支持部材
【図１】
2009298585.tif 000003
【図２】
2009298585.tif 000004
【図３】
2009298585.tif 000005
【図４】
2009298585.tif 000006
【図５】
2009298585.tif 000007
【図６】
2009298585.tif 000008
【図７】
2009298585.tif 000009
【図８】
2009298585.tif 000010
【図９】
2009298585.tif 000011
【図１０】
2009298585.tif 000012
【図１１】
2009298585.tif 000013
【図１２】
2009298585.tif 000014
【図１３】
2009298585.tif 000015
【図１４】
2009298585.tif 000016
【図１５】
2009298585.tif 000017
【図１６】
2009298585.tif 000018
【図１７】
2009298585.tif 000019